(57)【要約】【課題】制御基板に対する不正行為をより確実に防止可能な基板ケースユニットを提供する。【解決手段】基板ケースユニットは、ケース閉止状態においてトップ側係合部１６０およびロック部材１７０がそれぞれボトム側係合部１５０に係止されることにより、ボトムケース１２０に対してトップケース１３０が開放方向に移動することを規制するロック機構１４０を備え、ボトムケース１２０に対してトップケース１３０を開放させるときに、トップ側係合部１６０、ロック部材１７０およびボトム側係合部１５０の一部を破壊してトップ側係合部１６０およびロック部材１７０とボトム側係合部１５０との係止状態を解除させることにより、ボトムケース１７０に対してトップケース１３０を開放可能に構成される。【選択図】図１９
2016059561.tif 000002
【特許請求の範囲】
【請求項１】
第１ケース部材および前記第１ケース部材に着脱自在に取り付けられる第２ケース部材を備え、前記第１ケース部材に対して前記第２ケース部材を閉止方向に移動させることにより前記第２ケース部材が前記第１ケース部材に閉止状態で保持され、前記第１ケース部材および前記第２ケース部材に囲まれて形成されるケース内部に制御基板を収容する基板ケースユニットにおいて、
前記第１ケース部材に形成された第１係合部と、前記第２ケース部材に形成され前記閉止状態において前記第１係合部と係合する第２係合部と、前記第２係合部に形成された挿入部に挿入されて前記第２係合部内に係止されるロック部材とを有し、前記閉止状態において前記第２係合部および前記ロック部材がそれぞれ前記第１係合部に係止されることにより、前記第１ケース部材に対して前記第２ケース部材が開放方向に移動することを規制するロック機構を備え、
前記第１ケース部材に対して前記第２ケース部材を開放させるときに、前記第２係合部、前記ロック部材および前記第１係合部の一部を破壊して前記第２係合部および前記ロック部材と前記第１係合部との係止状態を解除させることにより、前記第１ケース部材に対して前記第２ケース部材を開放可能に構成されたことを特徴とする基板ケースユニット。
【発明の詳細な説明】
【技術分野】
【０００１】
本発明は、遊技機の制御に用いる制御基板を収容する基板ケースユニットに関する。
【背景技術】
【０００２】
ぱちんこ遊技機等の遊技機には、該遊技機に搭載された電子部品の作動を制御する制御基板が設けられている。例えば、主制御基板ないしメイン制御基板と称される制御基板には、遊技機の制御ソフトウェアが書き込まれたＲＯＭが搭載され、遊技機の作動を統括的に制御する中枢制御装置としての役割を有している。そのため、遊技機の制御基板は、偽造ＲＯＭへの差し替えや不正回路の付加などの行為対象になりやすい。
【０００３】
このような不正行為を防止して公正な遊技に供するため、制御基板は、ともに透明な樹脂材料を用いて形成されたケース本体とその前方に開閉可能に装着されるケース蓋とからなる基板ケース内に収容されている。また、基板ケースには、ケース本体に対してケース蓋を閉止状態で装着したときに、ケース本体の側に形成した係合部とケース蓋の側に形成した係合部とが係合連結することで基板ケースを閉止状態でロックし、ケース蓋（もしくはケース本体）とその係合部との間を繋ぐ連結部をニッパー等の工具を用いて切り離さない限り基板ケースを開放不能にする不正開放防止機構（ロック機構）が設けられている（例えば、特許文献１を参照）。
【先行技術文献】
【特許文献】
【０００４】
【特許文献１】特開２００４‐６５２８０号公報
【発明の概要】
【発明が解決しようとする課題】
【０００５】
しかしながら、制御基板に対する不正行為は巧妙化しており、このような不正行為をより確実に防止する対策が求められている。
【０００６】
本発明は、このような課題に鑑みてなされたものであり、制御基板に対する不正行為をより確実に防止可能な基板ケースユニットを提供することを目的とする。
【課題を解決するための手段】
【０００７】
このような目的達成のために、本発明に係る基板ケースユニットは、第１ケース部材（例えば、実施形態におけるボトムケース１２０）および前記第１ケース部材に着脱自在に取り付けられる第２ケース部材（例えば、実施形態におけるトップケース１３０）を備え、前記第１ケース部材に対して前記第２ケース部材を閉止方向に移動させることにより前記第２ケース部材が前記第１ケース部材に閉止状態で保持され、前記第１ケース部材および前記第２ケース部材に囲まれて形成されるケース内部に制御基板を収容するように構成される。そして、前記第１ケース部材に形成された第１係合部（例えば、実施形態におけるボトム側係合部１５０）と、前記第２ケース部材に形成され前記閉止状態において前記第１係合部と係合する第２係合部（例えば、実施形態におけるトップ側係合部１６０）と、前記第２係合部に形成された挿入部に挿入されて前記第２係合部内に係止されるロック部材とを有し、前記閉止状態において前記第２係合部および前記ロック部材がそれぞれ前記第１係合部に係止されることにより、前記第１ケース部材に対して前記第２ケース部材が開放方向に移動することを規制するロック機構を備え、前記第１ケース部材に対して前記第２ケース部材を開放させるときに、前記第２係合部、前記ロック部材および前記第１係合部の一部（例えば、実施形態におけるトップ側係合部１６０の係合アーム１６３、ロ
ック部材１７０の係合アーム１７２、ボトム側係合部１５０の第３係合壁１５３）を破壊して前記第２係合部および前記ロック部材と前記第１係合部との係止状態を解除させることにより、前記第１ケース部材に対して前記第２ケース部材を開放可能に構成される。
【発明の効果】
【０００８】
本発明によれば、制御基板に対する不正行為をより確実に防止することが可能である。
【図面の簡単な説明】
【０００９】
【図１】本実施形態に係る主制御基板ケースユニットを備えたぱちんこ遊技機の斜視図である。
【図２】上記ぱちんこ遊技機の背面図である。
【図３】上記主制御基板ケースユニットの分解斜視図である。
【図４】上記主制御基板ケースユニットにおけるロック機構を構成するボトム側係合部を示す図であり、（ａ）は上方から見た斜視図、（ｂ）は（ａ）と異なる角度において上方から見た斜視図である。
【図５】上記ボトム側係合部を示す図であり、（ａ）は平面図、（ｂ）は側面図である。
【図６】上記ロック機構を構成するトップ側係合部を示す図であり、（ａ）は上方から見た斜視図、（ｂ）は下方から見た斜視図である。
【図７】上記トップ側係合部を示す図であり、（ａ）は側面図、（ｂ）は底面図である。
【図８】上記ロック機構を構成するロック部材を示す図であり、（ａ）は上方から見た斜視図、（ｂ）は下方から見た斜視図である。
【図９】上記ロック部材を示す図であり、（ａ）は平面図、（ｂ）は側面図である。
【図１０】上記ロック部材の内部を示す図であり、（ａ）は断面斜視図、（ｂ）は断面平面図である。
【図１１】上記トップ側係合部にロック部材を挿入する以前の状態を示す図であり、（ａ）は斜視図、（ｂ）は断面斜視図である。
【図１２】上記トップ側係合部にロック部材が挿入されて装着されるまでの状態を示す図であり、（ａ）はロック部材を挿入する以前の状態を示す断面図であり、（ｂ）はロック部材を装着する途中の状態を示す断面図であり、（ｃ）はロック部材を装着した状態を示す断面図である。
【図１３】上記トップ側係合部にロック部材を装着した状態を示す図であり、（ａ）は斜視図、（ｂ）は断面斜視図である。
【図１４】上記ボトム側係合部にトップ側係合部を係合させる以前の状態を示す斜視図である。
【図１５】上記ボトム側係合部にトップ側係合部を係合させる途中の状態を示す図であり、（ａ）は斜視図、（ｂ）は断面斜視図である。
【図１６】上記ボトム側係合部にトップ側係合部が完全に係合されるまでの状態を示す図であり、（ａ）はトップ側係合部が係合される途中の状態を示す断面図であり、（ｂ）は（ａ）よりも係合が進んだ状態を示す断面図であり、（ｃ）はトップ側係合部が完全に係合された状態を示す断面図である。
【図１７】上記ボトム側係合部にトップ側係合部が完全に係合された状態を示す図であり、（ａ）は斜視図であり、（ｂ）は断面斜視図である。
【図１８】上記主制御基板ケースユニットを開放させるためにトップ側係合部の一部を切断した状態を示す図であり、（ａ）は斜視図、（ｂ）は平面図である。
【図１９】上記主制御基板ケースユニットを開放させるためにトップ側係合部およびロック部材の一部を切断した状態を示す図であり、（ａ）は平面図、（ｂ）は断面図である。
【図２０】上記主制御基板ケースユニットを開放させる途中の状態を示す図であり、（ａ）は斜視図、（ｂ）は断面斜視図である。
【発明を実施するための形態】
【００１０】
以下、本発明の好ましい実施形態について図面を参照して説明する。本発明に係る基板ケースユニットを備えた遊技機の代表例として、ぱちんこ遊技機ＰＭの斜視図および背面図を図１および図２に示しており、まず、これらの図を参照してぱちんこ遊技機ＰＭの全体構成について説明する。
【００１１】
［ぱちんこ遊技機の全体構成］
始めに、図１を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１２】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２には、遊技盤１０が着脱可能にセット保持され、常には閉鎖保持されるガラス枠５の複層ガラス５ａを通して遊技盤１０の正面の遊技領域ＰＡを視認可能に臨ませるようになっている。
【００１３】
ガラス枠５の下部には遊技球を貯留する上下の球皿（上球皿６ａおよび下球皿６ｂ）が設けられ、下球皿６ｂの正面右側には遊技球の発射操作を行う発射ハンドル７が設けられている。ガラス枠５の前面側には、発光ダイオード（ＬＥＤ）やランプ等の電飾装置８や、遊技の展開状態に応じて効果音を発生させるスピーカ９が設けられている。
【００１４】
図１では詳細な図示を省略しているが、遊技盤１０は、ルータ加工等を施した矩形状の積層合板に、所定の図柄が印刷されたセルを貼り付けて成型される化粧板を基板とし、上下のレール飾りに囲まれて略円形状の遊技領域ＰＡが形成される。遊技領域ＰＡには、多数本の遊技釘、風車、中央飾り、遊技の進行状況に応じて所定の画像が表示される演出表示装置、各種入賞口などの遊技構成部品が設けられ、遊技領域ＰＡの下端部には入賞口に落入することなく落下した遊技球を裏面側に排出するためのアウト口が遊技盤１０を前後に貫通して形成されている。
【００１５】
続いて、図２を参照しながら、ぱちんこ遊技機ＰＭの背面側の基本構造を説明する。前枠２の背面側には、中央に前後連通する窓口を有して前枠２よりも幾分小型の矩形枠状に形成された基枠体をベースとしてなる裏セット盤３０が、上下のヒンジ機構３を介して前枠２後方に横開き開閉および着脱が可能に連結されている。この裏セット盤３０には、前面開放の矩形箱状をなす裏セットカバー３０Ｃが着脱自在に装着されており、常には前枠２に取り付けられた遊技盤１０の裏面側を覆って配設されている（これにより後述する主制御基板ケースユニット１００および演出制御基板ケースユニット２００が裏セットカバー３０Ｃにより覆われる）。
【００１６】
裏セット盤３０の各部には、多数個の遊技球を貯留する球貯留タンク３１、球貯留タンク３１から右方に緩やかな下り傾斜を有して延びるタンクレール３２、タンクレール３２の右端部に繋がり下方に延びる球供給通路部材３３、球供給通路部材３３により導かれた遊技球を払い出す賞球払出ユニット３４、賞球払出ユニット３４から払い出された遊技球を上球皿６に導くための賞球通路部材３５などが設けられている。
【００１７】
遊技盤１０の背面側には、ぱちんこ遊技機ＰＭの作動を統括的に制御する主制御基板４１（主制御基板ケースユニット１００）や、遊技展開に応じた画像表示、効果照明、効果音等の演出全般の制御を行う演出制御基板４２（演出制御基板ケースユニット２００）などが取り付けられている。これに対して、裏セット盤３０の背面側には、遊技球の発射および払い出しに関する制御を行う払出制御基板４３（払出制御基板ケースユニット３００）や、遊技施設側から受電して各種制御基板や電気・電子部品に電力を供給する電源基板４４（電源基板ケースユニット４００）などが取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００１８】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル７を回動操作することにより遊技が開始される。発射ハンドル７が回動操作されると、上球皿６ａに貯留された遊技球が、ガラス枠５の背面側に配設される球送り機構によって１球ずつ発射機構に送り出され、発射機構により遊技領域ＰＡに打ち出されて、以降パチンコゲームが展開される。
【００１９】
［主制御基板ケースユニットの構成］
次に、本実施形態に係る主制御基板ケースユニット１００の構成について図３〜図２０を用いて説明する。なお、図４〜図７および図１１〜図２０においては、説明の理解を容易にするために、主制御基板ケースユニット１００から要部のみを切り離した状態でこれらのみを取り出して図示している。また、以降の説明においては、説明の便宜のため、上下、前後および左右の方向は図３の状態を基準にして定義し、図３等に示す矢印の方向をそれぞれ上下方向、前後方向および左右方向と称して説明する。
【００２０】
主制御基板ケースユニット１００は、図３に示すように、ぱちんこ遊技機ＰＭにおける制御の中枢を担う前述の主制御基板４１と、主制御基板４１を内部に収容する略矩形箱状の基板ケース１１０と、基板ケース１１０を閉止状態でロックするロック機構１４０とを有して構成されている。
【００２１】
主制御基板４１は、詳細図示を省略しているが、矩形状のプリント配線板を基板として種々の半導体デバイスや抵抗、コンデンサ、コネクタ等の電子・電気部品が実装されて構成されている。この主制御基板４１は、基板ケース１１０（後述するトップケース１３０）の内面にネジ止め固定される。
【００２２】
基板ケース１１０は、遊技盤１０の背面に着脱されるボトムケース１２０と、このボトムケース１２０に着脱自在に取り付けられるトップケース１３０とを備えて構成されている。ボトムケース１２０およびトップケース１３０は、透明な樹脂材料（例えば、ポリカーボネート等）を用いて射出成形等の成形手段により形成され、外部からでも基板ケース１１０内を視認可能に構成されている。
【００２３】
ボトムケース１２０は、矩形板状の基壁１２０ａおよび基壁１２０ａの周縁から立設された前後左右の側壁１２０ｂを有し、全体として上面が開放された矩形箱状に形成されている。左右の側壁１２０ｂの外面には複数の取付溝１２１が形成されている。取付溝１２１は、上方に開口する挿入溝部１２１ａと挿入溝部１２１ａの下部から後方に延びる係止溝部１２１ｂとから構成され、左右方向から見たときにＬ字状に形成されている。
【００２４】
トップケース１３０は、矩形板状の基壁１３０ａおよび基壁１３１ａの周縁から下方に立設された前後左右の側壁１３０ｂを有し、全体として下面が開放された矩形箱状に形成されている。左右の側壁１３０ｂの内面には、ボトムケース１２０の取付溝１２１と同じ
数および同じ配置間隔の取付突起１３１が形成されている。トップケース１３０は、取付突起１３１をボトムケース１２０の取付溝１２１（挿入溝部１２１ａ）に上方から挿入してボトムケース１２０の上方開口を覆い、その後、ボトムケース１２０に対してトップケース１３０を後方（閉止方向）にスライド移動させて取付突起１３１を取付溝１２１の係止溝部１２１ｂに挿入させることにより、ボトムケース１２０に閉止状態で装着（保持）されるように構成されている。
【００２５】
基板ケース１１０は、このようにトップケース１３０がボトムケース１２０に閉止状態で装着され、ボトムケース１２０およびトップケース１３０に囲まれて形成されるケース内部に主制御基板４１を収容するように構成されている。このように主制御基板４１を収容した状態において、ボトムケース１２０に対してトップケース１３０が前方（開放方向）にスライド移動することを規制して基板ケース１１０を閉止状態でロックするロック機構１４０が設けられている。
【００２６】
なお、トップケース１３０には、主制御基板４１のコネクタ（図示省略）の実装位置に対応して表裏貫通するコネクタ挿抜口（図示せず）が形成されており、主制御基板４１が基板ケース１１０内に収容された状態において、主制御基板４１のコネクタがコネクタ挿抜口を通して外部に露出し、演出制御基板４２や払出制御基板４３等とハーネス（コネクタケーブル）を介して電気接続可能となる。
【００２７】
ロック機構１４０は、ボトムケース１２０の後側の側壁１２０ｂに形成されたボトム側係合部１５０と、トップケース１３０の後側の側壁１３０ｂに形成され、トップケース１３０がボトムケース１２０に装着された状態においてボトム側係合部１５０と係合するトップ側係合部１６０と、トップ側係合部１６０に装着されるロック部材１７０（図１０を参照）とを有して構成されている。
【００２８】
ボトム側係合部１５０は、図３〜図５に示すように、ボトムケース１２０の基壁１２０ａに一体に繋がる矩形板状の基壁１５０ａ、および基壁１５０ａの周縁から立設されボトムケース１２０の後側の側壁１２０ｂに一体に繋がる左右および後側の側壁１５０ｂを有して構成されている。基壁１５０ａの上面略中央には、上方に延びる角柱形状の第１係合壁１５１が左右に所定の間隔を置いて二つ並んで形成されている。左側の第１係合壁１５１の左面の前端部には、前方にいくにつれて係合壁１５１の厚みが薄くなるように傾斜した傾斜面１５１ａが形成されている。右側の第１係合壁１５１の右面の前端部にも同様の傾斜面１５１ａが形成されている。
【００２９】
基壁１５０ａの上面において、左右の第１係合壁１５１の後方位置にはそれぞれ、前後方向に延びて立設された平板形状の第２係合壁１５２が後側の側壁１５０ｂに繋がって形成されている。左右の第２係合壁１５２の左右面にはそれぞれ、表裏貫通した係合孔１５２ａが形成されている。左側の第２係合壁１５２の左面の前端部には、前方にいくにつれて係合壁１５２の厚みが薄くなるように傾斜した傾斜面１５２ｂが形成されている。右側の第２係合壁１５２の右面の前端部にも同様の傾斜面１５２ｂが形成されている。
【００３０】
また、基壁１５０の上面において、左右の第１係合壁１５１の左方および右方位置にはそれぞれ、前後方向に延びて立設された平板形状の第３係合壁１５３が形成されている。左側の第３係合壁１５３の右面の上端部には、下方にいくにつれて係合壁１５３の厚みが厚くなるように傾斜した傾斜面とその傾斜面の下端部に繋がって前後左右に広がる係合面とを有する係合爪１５３ａが形成されている。右側の第３係合壁１５３の左面の上端部にも同様の係合爪１５３ａが形成されている。
【００３１】
さらに、基壁１５０の上面において、左右の第１係合壁１５１の後方位置（第１係合壁
１５１と第２係合壁１５２の間の位置）には、上面視において前方に開いたコ字状に立設された平板形状の第１囲み壁１５４が形成されている。また、第１囲み壁１５４の左方および右方位置にはそれぞれ、前後方向に延びて立設された平板形状の第２囲み壁１５５が形成されている。
【００３２】
トップ側係合部１６０は、図３、図６および図７に示すように、トップケース１３０の後側の側壁１３０ｂに一体に繋がって基壁１３０ａと略平行な矩形板状の基壁１６０ａ、および基壁１６０ａの周縁から下方に立設されトップケース１３０の後側の側壁１３０ｂに一体に繋がる前後左右の側壁１６０ｂを有して構成されている。後側の側壁１６０ｂの略中央には、ロック部材１７０をトップ側係合部１６０内に挿入して装着するための前後および下方に開口した挿入開口部１６１が形成されている。基壁１６０ａの下面における挿入部１６１近傍の位置には、下方に延びる角柱形状の係合壁１６２が左右方向に所定の間隔を置いて二つ並んで形成されている。左側の係合壁１６２の右面の後端部には、後方にいくにつれて係合壁１６２の厚みが薄くなるように傾斜した傾斜面１６２ａが形成されている。右側の係合壁１６２の左面の後端部にも同様の傾斜面１６２ａが形成されている。
【００３３】
前側の側壁１６０ｂの内面（後面）には、後方に延びる平板形状の係合アーム１６３が左右方向に所定の間隔を置いて二つ並んで形成されている。左側の係合アーム１６３の右面の先端部には、前方にいくにつれて係合アーム１６３の厚みが厚くなるように傾斜した傾斜面とその傾斜面の前部に繋がって上下左右に広がる係合面とを有する第１係合爪１６３ａが形成されている。右側の係合アーム１６３の左面の先端部にも同様の第１係合爪１６３ａが形成されている。また、左側の係合アーム１６３の左面の中間部には、前方にいくにつれて係合アーム１６３の厚みが厚くなるように傾斜した傾斜面とその傾斜面の前部に繋がって上下左右に広がる係合面とを有する第２係合爪１６３ｂが形成されている。右側の係合アーム１６３の右面の中間部にも同様の第２係合爪１６３ｂが形成されている。
【００３４】
基壁１６０ａの上面には、左右方向に延びる矩形状の三つの薄肉部１６４が形成されている。三つの薄肉部１６４はそれぞれ、基壁１６０ａの厚みが他の部分よりも薄くなるように基壁１６０ａの上面に形成された凹部によって構成されている。これらの薄肉部１６４は、ロック機構１４０により閉止状態においてロックされた基板ケース１１０を開放させるときに切断される切断部になっている。
【００３５】
ロック部材１７０は、図８〜図１０に示すように、板状の上壁１７０ａと、上壁１７０ａの前端部および左右端部から下方に延びる前壁１７０ｂおよび左右側壁１７０ｃと、前壁１７０ｂおよび左右側壁１７０ｃの下端部に繋がる下壁１７０ｄとを有し、全体として後面が開放された略矩形箱状に形成されている。前壁１７０ｂには、前後に貫通した挿通孔１７１が左右方向に所定の間隔を置いて二つ並んで形成されている。
【００３６】
左右の側壁１７０ｃの後端部にはそれぞれ、後方に延びる平板形状の係合アーム１７２が形成されている。左側の係合アーム１７２の左面の先端部には、前方にいくにつれて係合アーム１７２の厚みが薄くなるように傾斜した傾斜面を有する第１係合爪１７２ａが形成されている。右側の係合アーム１７２の右面の先端部にも同様の第１係合爪１７２ａが形成されている。また、左側の係合アーム１７２の右面の先端部には、前方にいくにつれて係合アーム１７２の厚みが厚くなるように傾斜した傾斜面とその傾斜面の前部に繋がって上下左右に広がる係合面とを有する第２係合爪１７２ｂが形成されている。右側の係合アーム１７２の左面の先端部にも同様の第２係合爪１７２ｂが形成されている。
【００３７】
左右の側壁１７０ｃの内面の中間部にはそれぞれ、左右方向に延びる平板形状の係合壁１７３が形成されている。左右の係合壁１７３の前面の先端部にはそれぞれ、先端にいく
につれて係合壁１７３の厚みが薄くなるように傾斜した傾斜面１７３ａが形成されている。左右の側壁１７０ｃの内面における係合壁１７３の後方位置にはそれぞれ、左右方向に延びるリブ１７４が形成されている。
【００３８】
下壁１７０ｄには、前後方向に延びて上下貫通したスリット１７５が左右方向に所定の間隔を置いて二つ並んで形成されている。上壁１７０ａの上面前側には、左右方向に延びる矩形状の薄肉部１７６が形成されている。この薄肉部１７６は、上壁１７０ａの厚みが他の部分よりも薄くなるように上壁１７０ａの上面に形成された凹部によって構成されている。また、上壁１７０ａの上面後側には、左右にそれぞれ延びる平板形状の羽部１７７が形成されている。左右の羽部１７７はそれぞれ、上壁１７０ａの厚みよりも薄い平板状になっている。薄肉部１７６および左右の羽部１７７は、ロック部材１７０がトップ側係合部１６０に装着されたときに、トップ側係合部１６０の基壁１６０ａに形成された三つの薄肉部１６４と前後左右において位置整合して上下に対向するようになっている。
【００３９】
［主制御基板ケースユニットの作用］
次に、このように構成される主制御基板ユニット１００の作用について、図３および図１１〜図２０を用いて説明する。主制御基板ケースユニット１００を組み立てるには、まず始めに、トップケース１３０の内面側に主制御基板４１をネジ止め固定してトップケース１３０に主制御基板４１を取り付ける。
【００４０】
また、図１１に示すように、トップケース１３０のトップ側係合部１６０において、挿入開口部１６１からトップ側係合部１６０内にロック部材１７０を挿入する。このとき、図１２（ｂ）に示すように、ロック部材１７０の左右の挿通孔１７１に、トップ側係合部１６０の左右の係合アーム１６３がそれぞれ挿入される。そして、左右の係合アーム１６３の第２係合爪１６３ｂの傾斜面が、ロック部材１７０の左右の係合壁１７３の傾斜面１７３ａにそれぞれ当接し、左右の係合アーム１６３の先端部が互いに近づく方向に左右の係合アーム１６３が変形する（撓む）。また、ロック部材１７０における左右の係合アーム１７２の第１係合爪１７２ａの傾斜面が、トップ側係合部１６０における左右の係合壁１６２の傾斜面１６２ａにそれぞれ当接し、左右の係合アーム１７２の先端部が互いに近づく方向に左右の係合アーム１７２が変形する（撓む）。
【００４１】
そして、ロック部材１７０がトップ側係合部１６０内に完全に挿入されると、図１２（ｃ）および図１３に示すように、トップ側係合部１６０における左右の係合アーム１６３の第２係合爪１６３ｂの係合面と、ロック部材１７０における左右の係合壁１７３の後面とが面接触する（図１６（ｂ）において一点鎖線の丸印Ａによって示した部分）。また、ロック部材１７０における左右の係合アーム１７２の後面と、トップ側係合部１６０の左右の係合壁１６２の後面とが面接触する（図１６（ｃ）において一点鎖線の丸印Ｃによって示した部分）。これらの面接触により、ロック部材１７０のトップ側係合部１６０内から引き抜かれる方向（後方）への移動が規制され、ロック部材１７０がトップ側係合部１６０内に挿入された状態において固定保持される。
【００４２】
次に、図３に示すように、トップケース１３０の取付突起１３１をボトムケース１２０の取付溝１２１（挿入溝部１２１ａ）に上方から挿入してトップケース１３０によってボトムケース１２０の上方開口を覆い、その後、ボトムケース１２０に対してトップケース１３０を後方（閉止方向）にスライド移動させて取付突起１３１を取付溝１２１の係止溝部１２１ｂに挿入させる。これによりトップケース１３０がボトムケース１２０に閉止状態で保持（装着）され、ボトムケース１２０およびトップケース１３０に囲まれて形成されるケース内部に主制御基板４１が収容される。
【００４３】
またこのとき、図１４および図１５に示すように、ロック部材１７０が装着されたトッ
プ側係合部１６０によってボトム側係合部１５０の上方開口を覆う。このとき、図１６（ａ）に示すように、ロック部材１７０の左右のスリット１７５に、ボトム側係合部１５０の左右の第１係合壁１５１がそれぞれ挿入される。また、ロック部材１７０における左右の係合アーム１７２の下面が、ボトム側係合部１５０における左右の第３係合壁１５３の係合爪１５３ａの傾斜面に当接し、左右の第３係合壁１５３の先端部が互いに離れる方向に左右の第３係合壁１５３が変形する（撓む）。そして、トップ側係合部１６０がボトム側係合部１５０に完全に係合されると、左右の係合アーム１７２の上面と、左右の第３係合壁１５３の係合爪１５３ａの係合面とが面接触する。この面接触により、ボトムケース１２０に対してトップケース１３０が上方（開放方向）に移動することが規制される。
【００４４】
また、トップケース１３０のスライド移動に応じて、トップ側係合部１６０がボトム側係合部１５０に対して後方（閉止方向）にスライド移動される。このとき、図１６（ｂ）に示すように、トップ側係合部１６０における左右の係合アーム１６３の第１係合爪１６３ａの傾斜面が、ボトム側係合部１５０における左右の第１係合壁１５１の傾斜面１５１ａにそれぞれ当接し、左右の係合アーム１６３の先端部が互いに離れる方向に左右の係合アーム１６３が変形する（撓む）。また、ロック部材１７０の左右の係合アーム１７２の第２係合爪１７２ｂの傾斜面が、ボトム側係合部１５０における左右の第２係合壁１５２の傾斜面１５２ｂにそれぞれ当接し、左右の係合アーム１７２の先端部が互いに離れる方向に左右の係合アーム１７２が変形する（撓む）。
【００４５】
そして、トップ側係合部１６０がボトム側係合部１５０に対して後方（閉止方向）に完全にスライド移動されると、図１６（ｃ）および図１７に示すように、トップ側係合部１６０における左右の係合アーム１６３の第１係合爪１６３ａの係合面と、ボトム側係合部１５０における左右の第１係合壁１５１の後面とが面接触する（図１６（ｃ）および図１７（ｂ）において一点鎖線の丸印Ｃによって示した部分）。また、ロック部材１７０における左右の係合アーム１７２の第２係合爪１７２ｂが、ボトム側係合部１５０における左右の第２係合壁１５２の係合孔１５２ａにそれぞれ挿入され、第２係合爪１７２ｂの係合面と係合孔１５２ａの内面とがそれぞれ面接触する（図１６（ｃ）および図１７（ｂ）において一点鎖線の丸印Ｄによって示した部分）。これらの面接触により、ボトムケース１２０に対してトップケース１３０が前方（開放方向）にスライド移動することが規制される。その結果、ボトムケース１２０とトップケース１３０が閉止状態且つロック状態で一体化され、主制御基板ケースユニット１００が組み立てられることとなる。
【００４６】
このように組み立てられた主制御基板ケースユニット１００では、ボトムケース１２０に対してトップケース１３０を開放方向（前方）にスライド移動させようすると、上記のように、トップ側係合部１６０における左右の係合アーム１６３の第１係合爪１６３ａがボトム側係合部１５０における左右の第１係合壁１５１にそれぞれ係止されることにより規制されるので、ボトムケース１２０に対してトップケース１３０を開放方向にスライド移動させることはできない。さらに、ロック部材１７０における左右の係合アーム１７２の第２係合爪１７２ｂがボトム側係合部１５０における左右の第２係合壁１５２の係合孔１５２ａにそれぞれ挿入されて係止されることによっても、トップケース１３０が開放方向にスライド移動することが規制される。そのため、基板ケース１１０が閉止状態且つロック状態に保持され、基板ケース１１０の不正な開放が防止される。
【００４７】
次に、基板ケース１１０を開放するには、まず始めに、図１８に示すように、トップ側係合部１６０の三つの薄肉部１６４、並びに、これらの薄肉部１６４と上下に対向するロック部材１７０の薄肉部１７６および左右の羽部１７７を、カッター等の工具を用いて切断し、トップ側係合部１６０の基壁１６０ａおよびロック部材１７０の上壁１７０ａに上下貫通した穴を開ける。そして、図１９に示すように、その穴にニッパー等の工具を差し込み、その工具を用いてトップ側係合部１６０の左右の係合アーム１６３およびロック部
材１７０の左右の係合アーム１７２（図１９において一点鎖線の丸印Ｅによって示した部分）を切断する。このように切断されると、左右の係合アーム１６３が第１係合爪１６３ａを有する先端部と基端部とに分断され、左右の係合アーム１７２が第２係合爪１７２ｂを有する先端部と基端部とに分断されるため、ボトムケース１２０に対してトップケース１３０が前方（開放方向）にスライド移動可能な状態となる。
【００４８】
次に、図２０に示すように、ボトムケース１２０に対してトップケース１３０を開放方向（前方）にスライド移動させ、上記のようにトップ側係合部１６０の基壁１６０ａおよびロック部材１７０の上壁１７０ａに開けた左右の穴にニッパー等の工具を再度差し込み、その工具を用いてボトム側係合部１５０における左右の第３係合壁１５３の係合爪１５３ａを破壊する。左右の係合爪１５３ａを破壊することにより、ロック部材１７０の左右の係合アーム１７２とボトム側係合部１５０における左右の第３係合壁１５３の係合爪１５３ａとの係合状態が解除されるため、ボトムケース１２０に対してトップケース１３０が上方（開放方向）に移動可能な状態となる。そして、ボトムケース１２０に対してトップケース１３０が上方に移動させることにより基板ケース１１０が開放される。
【００４９】
以上、本実施形態に係る主制御基板ケースユニット１００によれば、トップケース１３０がボトムケース１２０に閉止状態で装着されたときに、トップ側係合部１６０における左右の係合アーム１６３の第１係合爪１６３ａがボトム側係合部１５０における左右の第１係合壁１５１にそれぞれ係止され、ロック部材１７０における左右の係合アーム１７２の第２係合爪１７２ｂがボトム側係合部１５０における左右の第２係合壁１５２の係合孔１５２ａにそれぞれ挿入されて係止される。さらに、ロック部材１７０の左右の係合アーム１７２がボトム側係合部１５０における左右の第３係合壁１５３の係合爪１５３ａにそれぞれ係止される。これらの係止により、ボトムケース１２０に対してトップケース１３０が開放方向（前方および上方）に移動することが規制される構成であるため、基板ケース１１０の不正な開放を防止して、主制御基板４１に対する不正な改造行為を受け難くすることが可能である。
【００５０】
また、ボトム側係合部１５０に第１囲み壁１５４および左右の第２囲み壁１５５が設けられ、ロック部材１７０に左右のリブ１７４が設けられている。そのため、ボトム側係合部１５０およびトップ側係合部１６０の側壁に穴を開けて、その穴から差し込んだ工具により上記三つの係止を解除させるような不正行為も、工具の侵入を第１囲み壁１５４、左右の第２囲み壁１５５および左右のリブ１７４により防ぐことができる。
【００５１】
また、基板ケース１１０を開放するには、上記のようにトップ側係合部１６０の三つの薄肉部１６４、ロック部材１７０の薄肉部１７６および左右の羽部１７７、トップ側係合部１６０の左右の係合アーム１６３、ロック部材１７０の左右の係合アーム１７２、並びに、ボトム側係合部１５０における左右の第３係合壁１５３の係合爪１５３ａを破壊しなければならない構造である。すなわち、基板ケース１１０を開放するには、トップ側係合部１６０、ロック部材１７０およびボトム側係合部１５０の全てを破壊しなければならない構造である。そのため、基板ケース１１０が開放された場合には、その痕跡を明瞭に残像させて当該不正行為を早期に発見することができるとともに、基板ケース１１０の構成部品を破壊痕のない状態で使い回すことができなくなる。したがって、複数の中古機等から同型の基板ケース（１１０）を取り出し、これらの中からケース構成部品を無傷の状態でそれぞれ抽出して適宜に組み合わせることにより、１個の新たな基板ケース（１１０）を複製し、これを正規品とすり替える、所謂二個一（ニコイチ）と称される不正行為を防止することが可能である。
【００５２】
なお、本発明は、上記実施形態に限定されるものではなく、本発明の要旨を逸脱しない範囲であれば適宜改良可能である。上述の実施形態においては、本発明に係る基板ケース
ユニットをぱちんこ遊技機の主制御基板ケースユニットに適用した場合を例示して説明したが、これに限定されるものではなく、演出制御基板ケースユニットや払出制御基板ケースユニットなどの他の基板ケースユニット等に適用してもよく、更には、ぱちんこ遊技機以外の遊技機、例えばスロットマシンの基板ケースユニットに適用しても同様の効果を得ることが可能である。
【符号の説明】
【００５３】
４１  主制御基板
１００  主制御基板ケースユニット
１１０  基板ケース
１２０  ボトムケース（第１ケース部材）
１４０  ロック機構
１３０  トップケース（第２ケース部材）
１５０  ボトム側係合部（第１係合部）
１６０  トップ側係合部（第２係合部）
１７０  ロック部材
【図１】
2016059561.tif 000003
【図２】
2016059561.tif 000004
【図３】
2016059561.tif 000005
【図４】
2016059561.tif 000006
【図５】
2016059561.tif 000007
【図６】
2016059561.tif 000008
【図７】
2016059561.tif 000009
【図８】
2016059561.tif 000010
【図９】
2016059561.tif 000011
【図１０】
2016059561.tif 000012
【図１１】
2016059561.tif 000013
【図１２】
2016059561.tif 000014
【図１３】
2016059561.tif 000015
【図１４】
2016059561.tif 000016
【図１５】
2016059561.tif 000017
【図１６】
2016059561.tif 000018
【図１７】
2016059561.tif 000019
【図１８】
2016059561.tif 000020
【図１９】
2016059561.tif 000021
【図２０】
2016059561.tif 000022